(57)【要約】【課題】アルカリ溶解、高温高圧処理による動物残渣の分解処理で発生する高ＢＯＤ動物性有機廃液の安価な処理方法を提供する。【解決手段】実験動物やＢＳＥ等に感染した牛等をアルカリ溶解処理、高温高圧処理の際に発生するアルカリ廃液、及び機器の洗浄水に、ＢＯＤ１ｇ当たり０．５ｇ以上の過酸化水素、または次亜塩素酸塩を添加することにより下水に放流できる程度のＢＯＤまでに低下させるものである。動物性有機物を含むアルカリ溶液は資源として利用することも可能である。【選択図】図１
2005000719.tif 000002
【特許請求の範囲】
【請求項１】
アルカリ溶解及び／または高温高圧処理方法によって動物残渣を分解処理する際に発生する動物性有機廃液に過酸化水素、または次亜塩素酸塩のいずれかをＢＯＤ１ｇあたり０．５ｇ以上添加する動物性有機廃液の処理方法。
【発明の詳細な説明】
【０００１】
【発明の属する技術分野】
本発明は、家畜、ペット、実験動物等の主として動物残渣の処理によって発生する動物性有機廃液の処理方法に関する。
【０００２】
【従来の技術】
動物残渣等を分解する方法として、焼却、コンポスト、酸溶解、アルカリ溶解、高温高圧処理などの方法があり、処理に伴って発生する高ＢＯＤ廃液は活性汚泥法などで処理されていた。
【０００３】
【特許文献１】
米国特許第５３３２５３２号（クレーム）
【特許文献２】
特開２００３−８０２７６（要約、特許請求の範囲）
【特許文献３】
特開２００３−６２５８５（要約、特許請求の範囲）
【特許文献４】
特開２００３−４７９８０（要約、特許請求の範囲）
【０００４】
【発明が解決しようとする課題】
従来、家畜・ペット・実験動物等の処理は、一般的に焼却処理されることが多く、資源として利用されることはなかった。
しかしながら近年、危険な感染症に使用した実験動物の処理等として確実に分解処理ができる方法の必要性が認識されてきている。特に、牛海綿状脳症（以下ＢＳＥと称する）斃死牛処理に当たっては、耐熱性のあるプリオンの不活性化を確実にすることが必要で、米国では、特許文献１（米国特許第５３３２５３２号）に示されるアルカリ溶解、高温高圧処理法を組み合わせた分解処理方法が実用化されている。
【０００５】
アルカリ溶解、高温高圧処理法は、米国で実用化された技術であるため、日本で実用化するためには、日本の事情に即して改良すべき課題も多い。具体的には、米国は国土が広く、アルカリ溶解、高温高圧処理法で発生した高ＢＯＤのアルカリ溶液は、資源化する必要もなく、希釈して下水等に放流することが許容されている。
【０００６】
しかし、日本は国土も狭く、高ＢＯＤの動物性有機廃液であるアルカリ溶液を単に希釈して下水に放流することは問題が多く、そのまま適用することができない。
そのため、前記方法を日本で実用化するには、動物のアルカリ溶解、高温高圧処理の後工程としての廃水処理が必要になる。また、アルカリ溶解、高温高圧処理法を組み合わせた動物性有機物の分解処理に伴って発生するアルカリ溶液等の排水処理は、活性汚泥法など従来の排水処理技術では高濃度すぎて施設費が過大となる問題がある。
【０００７】
本発明は、動物残渣の処理に使われているアルカリ溶解、高温高圧処理による動物性有機物の分解処理で発生する動物性有機廃液を安価に処理できるようにするものである。
【０００８】
動物残渣は、栄養源として活用できる可能性を持った資源と考えられる。例えば、塩酸溶解法で精製されたアミノ酸は各種の食品添加物として活用されている。また、ＢＳＥの感染源となった肉骨紛も、本来は家畜の栄養補給源として活用されていたもので、アルカリ溶解処理、高温高圧処理、それらを組み合わせた処理の無害性が確実に担保できれば、発生する廃液の多くの部分は将来的には資源として利用することが可能となる。
【０００９】
しかしながら、将来、廃液の利活用ができるようになったとしても、アルカリ溶解処理、高温高圧処理、それらを組み合わせた処理の過程で、利活用困難な有機廃液が発生することは避けられない。
例えば、アルカリ溶解処理等で、反応完了後発生する廃原液は反応容器から取り出され、取り出された後反応容器は洗浄水により洗浄されるため、必ず利活用困難な洗浄廃液が発生する。
【００１０】
アルカリ溶解処理、高温高圧処理、それらを組み合わせた処理反応容器から廃原液・濃縮生成物を排出した後、反応容器を洗浄する必要があるが、この洗浄廃液の有機物濃度・ＢＯＤは、反応容器から廃原液・濃縮生成物を排出した後に反応容器内に残留する有機物量に比例関係にあり、洗浄水の有機物濃度・ＢＯＤは環境への負荷を増大させる結果をもたらす。
この洗浄水中には、反応容器内に残留した廃原液の量に比例した有機物が混入するため、洗浄水は相当の有機物を含むことになり、そのまま放流するには問題がある。
廃液の処理方法として、例えば活性汚泥法も考えられるが、一般に活性汚泥法のような生物処理は反応速度が遅く、また、生物が処理できる適正負荷があるため、廃液を希釈するなどの処置が必要になるが、廃原液の処理が必要になった場合には、希釈量が多くなるため、施設費が過大となる欠点がある。
【００１１】
また廃液のＢＯＤ濃度は、前工程における処理状態が必ずしも一定しておらず、希釈が不適当であった場合には、活性汚泥の不活性化を招くことが考えられる。
因みに廃原液のＢＯＤ濃度は、２５０，０００ｐｐｍ〜２００，０００ｐｐｍであり、活性汚泥法の適正ＢＯＤ負荷を３，０００ｐｐｍとすれば、希釈率は６５倍から８５倍となり、施設費はアルカリ溶解処理、高温高圧処理、それらを組み合わせた処理反応処理施設よりも高くなることになる。また、廃原液のＢＯＤ濃度の僅かな変化が実際操業時の希釈率設定を困難にする。
【００１２】
一方、廃原液は本来利活用されることが望ましいが、社会ニーズと利活用技術の整合の遅れから、直ちに利活用できずに当面排水処理をせざるを得ない。本発明は、洗浄排水並びに廃原液の希釈を最小限にするか、または、希釈することなく原液のまま処理できる方法を提供し、廃水処理施設費を低減することを可能とするものである。
【００１３】
【課題を解決するための手段】
以上の問題点を考慮し、発明者は生物に頼らない酸化方法であれば、希釈率にこだわらない処理ができると考え、物理化学的酸化法の検討をおこない、その結果、アルカリ溶解及び／または高温高圧処理方法によって動物残渣を分解処理する際に発生する動物性有機廃液に過酸化水素、または次亜塩素酸塩のいずれかをＢＯＤ１ｇあたり０．５ｇ以上添加することに動物性有機廃液を下水に放流できるようにしたのである。
【００１４】
動物残渣をアルカリ溶解処理、高温高圧処理、それらを組み合わせた処理で発生する廃原液のＢＯＤ（有機物濃度）は、２５０，０００ｐｐｍ〜２００，０００ｐｐｍ程度である。
【００１５】
実験の結果、オゾンや電気分解的方法は相当に有効であるが、施設費のみならずランニングコストも高くなる欠点があることが判明した。
そこで、酸化剤による化学的酸化による動物性高濃度有機排水処理方法について検討した。
ここで、高濃度とは、下水放流が困難なＢＯＤ６００ｐｐｍ以上と定義する。
【００１６】
酸化剤は、過酸化水素、硝酸、塩素系酸化剤が考えられるが、硝酸は、ＰＨ調整量以上の添加をすると、酸性溶液となり容器を腐食させる問題があり、不適であり、過酸化水素、次亜塩素酸塩類が好ましい。
添加量としては、ＢＯＤ１ｇ当たり０．５ｇ以上の添加で、通常排水処理と同レベルの水質（ＢＯＤにして１００ｐｐｍ程度）となる。
次亜塩素酸塩類としては、次亜塩素酸ソーダあるいは次亜塩素酸カルシュームが一般的であり、安価であり、ランニングコストを低減することができる。
【００１７】
【実施の形態】
動物残渣は、アルカリ溶解、高温高圧処理反応容器に投入され、反応容器内に動物残渣重量の３％以上のアルカリ（苛性ソーダ、苛性カリ等）とほぼ等量の水が注入される。
反応容器を密閉し、反応容器のジャケットに蒸気が注入され、反応容器の温度を概ね１５０℃まで上昇させる。反応容器内の水分は、密閉容器内で蒸発するが、蒸発の進行と共に反応容器内に蒸気が蓄積されるため、反応容器内の圧力が上昇すると共に、反応容器内の処理混合物は蒸気圧に平衡する温度に上昇する。処理混合物の温度上昇と内部の対流効果によりアルカリは分散し、有機物の加水分解反応を促進するが、酸素供給がないため有機物が炭化・炭酸ガス化することはない。
【００１８】
処理開始後一定時間（約数時間）が経過すると反応が終了する。反応容器に接続したバルブを開け、反応容器から廃原液を回収する。
反応容器内には固形分（骨分：主成分  リン酸カルシウム）が残留するので、反応容器内に洗浄水を注入して反応容器内を洗浄し、洗浄液は洗浄廃液として回収する。再度反応容器内に洗浄液を注入し、２回目の洗浄をおこない、反応容器内から固形分を取り出す。
【００１９】
反応後の廃原液、あるいは洗浄廃液を廃水処理容器に導き、廃水処理容器内の廃水を撹拌しながら、酸化剤を添加する。添加量は目標とするＢＯＤ濃度により変わるが、図１に示すように、ＢＯＤ約２００，０００ｐｐｍの廃液に対し、ＢＯＤ１ｇ当たり酸化剤概ね０．５グラム以上で、視認できる改善が観察され、処理後のＢＯＤが目標とする６０００ｐｐｍ以下となった。
【００２０】
【発明の効果】
アルカリ溶解及び／または高温高圧処理方法によって動物残渣を分解処理する際に発生する動物性有機廃液に過酸化水素等の酸化剤を処理廃液のＢＯＤ１ｇあたり０．５ｇ以上添加することによって動物性有機廃液を下水に放流できるようにしたものであり、動物残渣の完全な処理を低コストでおこなえるようにし、動物残渣の資源利用への路を拓くものである。
【図面の簡単な説明】
【図１】酸化剤のＢＯＤ軽減効果を示す表。
【図１】
2005000719.tif 000003